(57)【要約】      （修正有）【課題】配光特性が良好となるとともに、人感センサを適切に実装して省エネルギー化を実現することのできる照明装置を提供する。【解決手段】設置面に取り付けられる底板３６と、この底板３６によって下方に形成された開口部が閉塞される透孔性のカバー３０と、前記底板３６およびカバー３０との間に配設され、前記底板３６から上方へ離間するとともに外側に向かって底板３６側へ傾斜する実装面２２を有する本体ベース２０と、前記実装面２２に配設されＬＥＤ発光源１２が実装された基板１１と、前記本体ベース２０と底板３６との間に配設され、ＬＥＤ発光源１２を点灯させる点灯回路１６と、前記カバー３０の外側に配設される人感センサとを具備する。【選択図】図１
2012084328.tif 000002
【特許請求の範囲】
【請求項１】
設置面に取り付けられる底板と；
この底板によって下方に形成された開口部が閉塞される透孔性のカバーと；
前記底板およびカバーとの間に配設され、前記底板から上方へ離間するとともに外側に向かって底板側へ傾斜する実装面を有する本体ベースと；
前記実装面に配設されＬＥＤ発光源が実装された基板と；
前記本体ベースと底板との間に配設され、ＬＥＤ発光源を点灯させる点灯回路と；
前記カバーの外側に配設される人感センサと；
を具備することを特徴とする照明装置。
【請求項２】
前記実装面は、前記本体ベースの中心軸から両側方へ向かって傾斜し、前記人感センサは前記本体ベースの中心軸上に配設されていることを特徴とする請求項１に記載の照明装置。
【請求項３】
前記実装面は、前記本体ベースの中心軸方向にそれぞれ傾斜していることを特徴とする請求項２に記載の照明装置。
【請求項４】
前記人感センサは、大部分が前記実装面よりも底板側に設けられていることを特徴とする請求項１ないし３のいずれか一に記載の照明装置。
【発明の詳細な説明】
【技術分野】
【０００１】
本発明の実施形態は、ＬＥＤを用いた照明装置に関するものである。
【背景技術】
【０００２】
近年、ＬＥＤの高出力化、高効率化に伴いＬＥＤを用いた照明装置が普及してきている。しかしながら、ＬＥＤは指向性が高く、ＬＥＤを用いた照明装置は天井や壁などに設置したときに設置面側が暗くなりすい傾向がある。
また、人感センサを搭載することで人の有無を判断し、人がいないときには照明器具を消灯制御することで省エネルギー化を図った照明装置が知られている（特許文献１参照）。
【先行技術文献】
【特許文献】
【０００３】
【特許文献１】特開２００９−２５９７５９号公報
【発明の概要】
【発明が解決しようとする課題】
【０００４】
ところで、上記特許文献に記載されているようなセンサ付照明装置は、センサの検知範囲内に光源を配設しないように光源とセンサとの配置関係を考慮するのが一般的であった。これはセンサがノイズを検知し誤動作することを防止するためである。
しかしながら、光源としてＬＥＤを用いる場合には設置面側の明るさが問題となり、特にセンサ付の照明装置においてはさらに検討の余地があった。
本発明は上記のような照明装置の現状に鑑みてなされたもので、その目的は、配光特性が良好となると共に、人感センサを適切に実装して所謂省エネルギー化を実現することのできる照明装置を提供することである。
【課題を解決するための手段】
【０００５】
本実施形態に係る照明装置は、設置面に取り付けられる底板と；この底板によって下方に形成された開口部が閉塞される透孔性のカバーと；前記底板およびカバーとの間に配設され、前記底板から上方へ離間するとともに外側に向かって底板側へ傾斜する実装面を有する本体ベースと；前記実装面に配設されＬＥＤ発光源が実装された基板と；前記本体ベースと底板との間に配設され、ＬＥＤ発光源を点灯させる点灯回路と；前記カバーの外側に配設される人感センサと；を具備することを特徴とする。
【発明の効果】
【０００６】
本発明の実施形態に係る照明装置によれば、設置面側へ光が回り込みやすくなり、配光特性を向上させることが期待できる。
【図面の簡単な説明】
【０００７】
【図１】本発明に係る照明装置の実施形態を示す組立斜視図。
【図２】本発明に係る照明装置の実施形態を示す組立斜視図。
【図３】本発明に係る照明装置の実施形態の要部を示す断面図。
【図４】本発明に係る照明装置の実施形態の組み立てた状態を示す斜視図。
【図５】本発明に係る照明装置の第３の実施形態の要部を示す斜視図。
【発明を実施するための形態】
【０００８】
実装面に実装される基板の数や並べ方には、特に限定はない。また、基板に実装されるＬＥＤ発光源についても、その数や並べ方には、特に限定はない。実装面の傾斜の角度は照明装置の用途に応じて適宜決定される。人感センサは、例えば人から放射される赤外線を感知しその変化量によって人の有無を判断する焦電センサや、赤外線等の光を放射しその反射光を検知する反射形のセンサ等、検知領域内の人の有無を判断可能なセンサであれば特に限定されない。人感センサは、本体ベースにおける一方または両方の端面側に設けられる。また、人感センサの向きは、本体ベースの端面方向としても良く、また、ＬＥＤ発光源の光の射出方向を向くように構成しても良い。さらに、人感センサの向きを変更可能とする機構を備えても良い。
【０００９】
第２の実施形態に係る照明装置は、本体ベースの端部の空間において、人感センサの大部分が、本体ベースより底板側に隠れる高さにおいて実装されていることを特徴とする。ここで人感センサの大部分とは、人感センサを器具の側方から見たときの平面視において実装面よりも底板側に配設される領域が全体の５０％以上であることをいう。
【００１０】
このように、人感センサが、本体ベースの実装面より底板側に隠れる高さにおいて実装されているために、ＬＥＤ発光源から射出された光が人感センサの周囲に回りこみやすくなり、配光特性を良好とすることが期待できる。
【００１１】
第３の実施形態に係る照明装置は、傾斜した実装面は、四方向へ傾斜して形成されていることを特徴とする。
【００１２】
四方向へ傾斜しているとは、本体ベースの中心軸から両側方へ向かって傾斜するとともに本体ベースの中心軸方向に対してもそれぞれ傾斜していることをいうが、それぞれが異なる方向へ傾斜して、全体として四方向以上に傾斜している場合を含む。
【００１３】
上記の通り、四方向へ傾斜している構成によって、ＬＥＤ発光源から射出された光が進む方向が多様化するので、配光特性を良好とすることが期待できる。
【００１４】
以下添付図面を参照して、実施形態に係る照明装置を説明する。各図において同一の構成要素には、同一の符号を付し、重複する説明を省略する。この照明装置は、ＬＥＤ発光源が実装された基板１１と、本体ベース２０と、点灯回路１６と、カバー３０と、底板３６と、人感センサ４０を主な構成要素としている。
【００１５】
基板１１は、長方形状で、４枚がネジ等の固定具により本体ベース２０の表面部分に固定される。基板１１の中央部には基板１１の長手方向にＬＥＤチップが複数個実装され、ＬＥＤチップは蛍光体を含有する樹脂により封止されて、ＬＥＤ発光源１２を構成している。
【００１６】
本体ベース２０は、例えば金属により形成され、本体ベース２０の長手方向となる中央の長尺帯状の稜２１を中心軸としこの中心軸と直交する両側方へ向かって傾斜された実装面２２を備える。実装面２２に形成された穴２２ａには、ＬＥＤ発光源１２に電力供給するためのリード線などが通される。側板部２３は、実装面２２における外側の長辺から底板３６に対して垂直となるように下方に向かって折り曲げられて形成されている。また、実装面２２の長手方向の端部には、台形状の端部板２４が設けられ、実装面２２の裏面側は開口した空間部が形成されている。端部板２４が側板部２３と接する部分には、端部板２４から外側に突出した爪片２５が形成されている。この爪片２５は、カバー３０に形成された凹部３１に嵌合して位置決めと固定に寄与する。
【００１７】
実装面２２は、本体ベース２０の中心軸である稜２１から側板部２３へ向かって底板３６側へ下がるように傾斜している。また、実装面２２は、側板部２３によって底板３６から上方へ離間して配置されることになる。このため、ＬＥＤ発光源１２から出射された光はカバー３０の短手方向の取付面側に回り込みやすくなる。このように、実装面２２が短手方向の側板部２３側へそれぞれ傾斜するため、稜２１を挟んだ二つの実装面２２のＬＥＤ発光源１２から射出された光は、二つの実装面２２が作る角度に応じて、離れる方向へ向かうことになり、実装面２２の全体が平面である場合に比べて配光特性を大きく改善することができる。
【００１８】
点灯回路１６は、ＬＥＤ発光源１２を点灯させるもので、基板１７とこの基板１７の一方の面に実装される電子部品１８とで構成されている。点灯回路１６は、本体ベース２０と底板３６との間に配設される。具体的には、電子部品が実装されない基板１７の他方の面が本体ベース２０の実装面２２の裏面に接するように取り付けられる。点灯回路１６は本体ベース２０の穴２２ａを介して基板１１に実装されたＬＥＤと電気的に接続する。点灯回路１６は人感センサ４０の出力を受けて点灯制御を行う。
【００１９】
カバー３０は、長尺の半筒状である中央部３２の両端に半球状の端部３２ａが一体に形成された形状を有し、例えば透孔性の樹脂により構成される。本体ベース２０などは開口部側からカバー３０内空間に挿入される。開口部を囲繞する縁部３３は、カバー３０の開口部から外方に向かって延在し、下面が平面となるように形成されている。縁部３３には、底板３６に形成された穴３７に対応するねじ穴が形成されており、底板３６がネジ３８によりカバー３０に固定されることでカバー３０の下方に形成された開口部が底板３６によって閉塞される。
【００２０】
底板３６とカバー３０とが固定されるときには、縁部３３に対応する形状を有するパッキン５０が縁部３３と底板３６の側縁部の間に介装される。また、底板３６の中央部に形成された穴３６ａもパッキン５１により塞がれる。これにより、照明装置は防水性を有することになる。
【００２１】
カバー３０の一端部は、カバー３０の長尺方向に垂直に馬蹄形に切欠された取付端面６１が形成されている。取付端面６１の中央部には、透孔６２が穿設されている。この取付端面６１には、人感センサ４０が取り付けられる。
【００２２】
人感センサ４０は、正面形状が馬蹄形の有実筒体４１により構成され、正面中心部に開口した球形殻４２が埋設されている。球形殻４２内には、球形の人感センサ素子４３が保持されている。人感センサ素子４３は球形殻４２内において回動可能であり、球形殻４２の開口部から外側を或る立体角の範囲で監視可能となっている。ここでは、長手方向を監視するように取り付けられているが、照明対象方向を向けて取り付けても良い。
【００２３】
図３に示すように、有実筒体４１の人感センサ素子４３とは反対側には、透孔６２に対応する大きさの嵌込筒４４が設けられ、嵌込筒４４の中心からは例えば中空ボルトの固定体４５が突出している。カバー３０の取付端面６１に隣接する壁６３を挟んで、カバー３０の内側には固定体４５が挿入される嵌合穴を有するナット６４が設けられている。このため、人感センサ４０は次のようにして取り付けることができる。上記固定体４５を透孔６２に挿入し、ナット６４で締め付けることで、有実筒体４１とナット６４とで壁６３を挟持する。このとき有実筒体４１と壁６３との間に防水パッキンを設けておき透孔６２周囲の防水性を確保してもよい。また、人感センサ素子４３のリード線は、固定体４５内を介して本体ベース２０の端部板２４に形成された穴から点灯回路１６へ接続される。
【００２４】
上記の通り、本体ベース２０は底板３６とカバー３０とで形成される収容部内に配設される。このとき、本体ベース２０の長手方向における端面を構成する端部板２４の外側に、カバー３０と底板３６によって空間が形成され、上記空間からカバー３０の外側に突出して人感センサ４０が設けられている。
【００２５】
また、図３に明らかな通り、本体ベース２０の実装面２２を底板３６からカバー３０側へ離間して設け、さらにカバー３０の短手方向、すなわち本体ベースの中心軸から両側方に向かって傾斜するようにしたため、ＬＥＤ発光源１２からカバー３０の長手方向端部側、すなわち本体ベース２０の中心軸方向に配設された人感センサ側へ出射された光が人感センサ４０に遮られ難くなる。つまり、実装面２２を底板３６からカバー側へ離間して設けたために人感センサ４０の上側に周り込む光が増大するとともに、さらにこの実装面２２を短手方向に傾斜させることで人感センサ４０の側方に回り込む光も増大する。このため、カバー３０の短手方向への取付面側と人感センサ４０が配設される長手方向の取付面側との双方の明るさを向上させることができる。なお、図３では人感センサ４０の多くの部分が、本体ベース２０の実装面２２より底板３６側に配設されている状態を示しているが、図３の状態よりも、本体ベース２０の高さを高くすることにより、例えば、取り付けベースの実装面よりも人感センサ全体が底板３６側に配設される構成とすることで更に配光特性を良好にすることができる。
【００２６】
カバー３０の縁部３３における二つの直線部分には、その中央部にカバー３０の表面側から穿設された長尺溝３４が形成されている。この長尺溝３４は、固定器具５２により照明装置を壁や天井に固定する際に用いられる。
【００２７】
固定器具５２は、例えば弾性を有する金属により構成され、四角形の平板部５３における対向する２辺からに立設されたアーム板５４を有する。二つのアーム板５４は、略直角から対向する方向へ僅かに傾斜している。アーム板５４の先端部５５は、Ｕ字状に折り曲げられ長尺溝３４に入り込むように構成されている。平板部５３における中央の穴は、電源線を通す穴であり、電源線は既述のパッキン５１を介して照明装置内に挿入される。
【００２８】
以上のように構成された固定器具５２は、壁等にネジ止めされる。この固定器具５２に対し、底板３６をカバー３０に固定した照明装置の長尺溝３４とアーム板５４とが対応するように位置付けて、照明装置を固定器具５２に対して押しつけると、縁部３３の側部がアーム板５４を撓ませて外側へ開くように作用し、アーム板５４の先端部５５が縁部３３を越えると、弾性によりカバー３０側へ戻り、アーム板５４の先端部５５が長尺溝３４内に入り込む。このとき、アーム板５４の弾性力により照明装置が挟持された状態で固定され図４に示すように底板３６が設置面に取り付けられた状態となる。
【００２９】
図５は、第３の実施形態に係る照明装置に用いられる本体ベース２０を示す。この本体ベース２０においては、傾斜した実装面２２は、本体ベース２０の中心から長手方向と短手方向のそれぞれ四方向へ傾斜して形成されている。この実施の形態では、本体ベース２０の中心軸である稜２１に水平面で直交する稜２１Ａを有し、実装面２２は、矢印により示すＡ方向とＢ方向以外に、矢印により示すように本体ベース２０の中心軸方向であるＣ方向とＤ方向に傾斜している。これによって、ＬＥＤ発光源１２から射出された光が進む方向が多様化するので、カバー３０の長手方向の配光特性を特に良好とすることが期待できる。
【符号の説明】
【００３０】
１１、１７  基板
１２  ＬＥＤ発光源
１６  点灯回路
２０  本体ベース
２１、２１Ａ  稜
２２  実装面
３０  カバー
３６  底板
４０  人感センサ
【図１】
2012084328.tif 000003
【図２】
2012084328.tif 000004
【図３】
2012084328.tif 000005
【図４】
2012084328.tif 000006
【図５】
2012084328.tif 000007